(57)【特許請求の範囲】
【請求項１】
誘電体基板と、該誘電体基板の表面に導電体で形成され、マイクロストリップ線路を構成する導体部とを備え、該導体部は、帯状の導体基部と、該導体基部から直角方向に延出する調整導体部と、該調整導体部から直角方向に突出し、且つ、前記導体基部と略平行に形成された複数の突出部と、前記突出部の中の位置で、前記突出部から前記調整導体部に跨り、前記導体基部と略平行に前記導電体を除去したスリット部を有し、前記導体基部の延びる方向に対して直角方向に、且つ、前記導体基部を横切るような直線状の調整溝の形成されると共に、直線状の前記調整溝は、前記調整導体部と前記スリット部に到って形成され、前記調整溝によって二分割された前記導体基部のそれぞれには、二分割された前記調整導体部が接続された状態となって、二分割された前記導体基部間における前記調整導体部と前記突出部による電気長を長くできるようにしたことを特徴とする発振器。
【請求項２】
前記スリット部を有する前記突出部は、前記調整導体部の両側から前記導体基部と略平行に形成されたことを特徴とする請求項１記載の発振器。
【請求項３】
前記スリット部を有する前記突出部は、前記導体基部の直角方向に間隔を置いて複数個配置されたことを特徴とする請求項１、又は２記載の発振器。
【請求項４】
請求項１から３記載の発振器を有し、直線状の前記調整溝は、前記導体基部を横切って設けられて、前記導体基部が二分割されると共に、前記調整導体部の一部が二分割された状態で前記スリット部に到るように形成され、前記調整溝によって二分割された前記導体基部のそれぞれには、二分割された前記調整導体部が接続された状態となって、二分割された前記導体基部間における前記調整導体部と前記突出部による電気長を長くして、発振周波数の調整を行うようにしたことを特徴とする発振器の発振周波数調整方法。
【発明の詳細な説明】
【０００１】
【発明の属する技術分野】
本発明は、マイクロストリップ線路の発振周波数を調整するのに好適な発振器と、この発振器の周波数調整方法に関する。
【０００２】
【従来の技術】
従来の発振器は、電圧制御発振器（ＶＣＯ）のモジュール（図示せず）等の発振周波数を所定の周波数に調整するために用いられていた。
前述したような従来のＶＣＯ等に使用していた発振器１１を図６、図７で説明する。
従来の発振器１１は、図６に示すように誘電体基板１２と、該誘電体基板１２の表面に、導体部１３が形成されている。この導体部１３は図示下方側に横長の導体基部１４が形成され、この導体基部１４の一方端部に接地部１４ａと他方端部に図示しない発振回路に接続された接続部１４ｂとが形成されている。
また、前記導体基部１４の図示上方には調整導体部１５が導体基部１４に接して一体に形成され、導体部１３は外形が略Ｔ字状に形成されている。
また、前記調整導体部１５を形成する図示左右の側部１５ａ、１５ａは直線状になっており、互いが略平行に形成されている。
【０００３】
そして、導体基部１４と調整導体部１５の略中央部には、後述する発振周波数調整方法により、２点鎖線で示す縦方向の調整溝１６が形成されている。
この調整溝１６は導体基部１４と図示上方の調整導体部１５の一部を分割し、先端部１５ｂ方向に延びて、所定の幅と長さＭで形成されている。
そして、この調整溝１６からは、誘電体基板１２の表面が露出した状態になっている。
【０００４】
このような構成の従来の発振器１１の発振周波数調整方法は、導体部１３を図示しないカッター等で削って調整溝１６を形成し、該調整溝１６の長さＭを調整することで、共振インピーダンスが変化し、このインピーダンスの変化が発振周波数の変化Δｆとなり、図７に示すような調整溝１６の長さＭに対する発振周波数の変化Δｆのカーブを得ることができる。
即ち、従来の発振器１１の発振周波数調整方法は、カッター等で導体部１３の一部を削って調整溝１６を形成する工程で、調整溝１６の長さＭを調整して従来の発振器１１の発振周波数を調整していた。
【０００５】
【発明が解決しようとする課題】
しかし、前述したような発振器１１は、調整導体部１５の側部１５ａ、１５ａが直線状に形成されているので、調整溝１６を削って長さＭを調整しても、導体基部１４の接地部１４ａから調整溝１６の頂部を経由して接続部１４ｂに至る電気的長さの変化が小さく、調整溝１６の長さＭに対する発振周波数の変化Δｆの幅が小さかった。
この発振周波数の変化Δｆの幅を大きくしようとすると、調整溝１６の長さＭを長くするか、導体部１３の導体基部１４の幅を広げて導体部１３の面積を大きくするかしなければならない。そのために、誘電体基板１２が大きくなり、発振器１１を小型化できないという問題があった。
【０００６】
【課題を解決するための手段】
前記課題を解決するための第１の手段として本発明の発振器は、誘電体基板と、該誘電体基板の表面に導電体で形成され、マイクロストリップ線路を構成する導体部とを備え、該導体部は、帯状の導体基部と、該導体基部から直角方向に延出する調整導体部と、該調整導体部から直角方向に突出し、且つ、前記導体基部と略平行に形成された複数の突出部と、前記突出部の中の位置で、前記突出部から前記調整導体部に跨り、前記導体基部と略平行に前記導電体を除去したスリット部を有し、前記導体基部の延びる方向に対して直角方向に、且つ、前記導体基部を横切るような直線状の調整溝の形成されると共に、直線状の前記調整溝は、前記調整導体部と前記スリット部に到って形成され、前記調整溝によって二分割された前記導体基部のそれぞれには、二分割された前記調整導体部が接続された状態となって、二分割された前記導体基部間における前記調整導体部と前記突出部による電気長を長くできるようにした構成とした。
【０００７】
また、前記課題を解決するための第２の手段として、前記スリット部を有する前記突出部は、前記調整導体部の両側から前記導体基部と略平行に形成された構成とした。
【０００８】
また、前記課題を解決するための第３の手段として、前記スリット部を有する前記突出部は、前記導体基部の直角方向に間隔を置いて複数個配置された構成とした。
【０００９】
また、前記課題を解決するための第４の手段として、請求項１から３記載の発振器を有し、直線状の前記調整溝は、前記導体基部を横切って設けられて、前記導体基部が二分割されると共に、前記調整導体部の一部が二分割された状態で前記スリット部に到るように形成され、前記調整溝によって二分割された前記導体基部のそれぞれには、二分割された前記調整導体部が接続された状態となって、二分割された前記導体基部間における前記調整導体部と前記突出部による電気長を長くして、発振周波数の調整を行うようにした。
【００１１】
【発明の実施の形態】
本発明の発振器及びこの発振器の周波数調整方法を図１〜図５に基づいて説明する。
まず、本発明の発振器１は、電圧制御発振器（図示せず）等のモジュール部分に取付られて、電圧制御発振器等の発振周波数が所定の周波数になるように調整するために用いられている。
【００１２】
本発明の一実施の形態の発振器１は、図１に示すように樹脂材料から成る誘電体基板２と、該誘電体基板２の表面には銅箔等から成る導体部３が印刷等により形成されている。
この導体部３は図示下方側に帯状の導体基部４と、該導体基部４から直角方向に図示上方に延出する調整導体部５とが形成されている。
そして、前記導体基部４には一方側に接地部４ａと、他方側に図示しない発振回路に接続される接続部４ｂとが形成されている。
また、図示上方に延出する調整導体部５の直角方向の両側に突出する複数の突出部５ａ・・が形成されている。
【００１３】
また、前記導体基部４と調整導体部５との略中央部に、前記導体基部４と調整導体部５の一部を図示左右に分割する、２点鎖線で示す縦長で、後述する調整方法により長さＬを変えることができる、縦方向の調整溝６が形成されている。
また、前記調整導体部５の両側の複数の突出部５ａ・・の中に、該突出部５ａ・・の先端部近傍から前記調整導体５の略中央部に至るスリット部７・・が設けられている。
即ち、このスリット部７・・は、縦方向の調整溝６と直交する方向に形成されて、縦方向の調整溝６の長さＬを延ばすことにより、該調整溝６とスリット部７とが交差して、発振器１の発振周波数を調整することができるようになっている。
また、スリット部７は、導体基部４と調整導体部５と突出部５ａ・・とを印刷形成するときに、同時に図示左側の突出部５ａ・・の先端部近傍から、調整導体部５の略中央部に至り、この中央部から図示右側の突出部５ａ・・の先端部近傍にかけて形成されるようになっている。
そして、調整溝６とスリット部５とが形成されている部分は、誘電体基板２が露出した状態になっている。
【００１４】
このような構成の本発明の発振器１の発振周波数調整方法を図２を用いて説明する。
まず、前述したような誘電体基板２等から成る発振器１を、例えば小型のボール盤（図示せず）等の取付台８にに取り付ける。この取付台８は、矢印Ａ、Ｂ、Ｃ、Ｄ方向に移動可能となっている。
ボール盤には、エンドミル等から成る所望の径寸法の刃先９ａを有するカッター９が取りけられている。そして、このカッター９を高速回転させて矢印Ｅ方向の下方に移動させる。
すると、カッター９の刃先９ａが導体部３を削り取り、誘電体基板２の表面が露出する。同時に取付台８を矢印Ｃ方向に移動させ、前記導体基部４と調整導体部５の一部を分割すると共に、スリット部７に至る縦方向の調整溝６を形成する工程により、縦方向の調整溝６の長さＬの調整を行う。
このとき、オシロスコープ等の周波数監視装置（図示せず）を観察しながら、取付台８を矢印Ｃ方向に移動させ、発振器１の発振周波数が所望の値になるまで調整溝６の長さＬを調整する。
【００１５】
このようにカッター９で調整溝６の長さＬを調整することにより、導体基部４の接地部４ａから発振回路の接続部４ｂまでの電気的長さを長くすることができる。
そして、調整導体部５の左右両側に形成された複数の突出部５ａ・・と、該突出部５ａ・・の中に形成されたスリット部７とにより、導体部３が蛇行した状態になり、導電体３の距離が長くなるようになっている。
そのため、前記導体基部４と調整導体部５の一部を縦方向の調整溝６で左右を分割する工程だけで、導体基部４の接地部４ａから発振回路の接続部４ｂまでの電気的長さを、従来より長くすることができるの。
また、縦方向の調整溝６がスリット部７と交差するところでは、突出部５ａにより電気的長さが急激に変化して、発振周波数は直線的に変化し、スリット部７とスリット部７との間では発振周波数は少ししか変化しないので、発振周波数の変化Δｆのカーブは、図３に示すように略階段状になるようになっている。
また、調整溝６の深さ、あるいはカッター９の移動の早さは、コンピュータ等の制御部（図示せず）にて制御することができ、調整溝６が所望の周波数Δｆに達すると、自動的にカッター９の移動がストップして、カッター９を誘電体基板２から離すことも可能である。
【００１６】
また、本発明の発振器１は、調整溝６を形成するときには事前にスリット部７・・が形成されているもので説明したが、本発明の発振器１の発振周波数調整方法のその他の実施の形態として、調整溝６を形成するときに事前にスリット部７が形成されてないものについて図５に基づいて説明する。
前記カッター９の刃先９ａを誘電体基板２の表面まで下げた状態で、前記取付台８を矢印Ｃ方向に移動させて、導体基部４の略中央部の端面側から調整導体部５の先端部５ｂ方向に向けて縦方向の調整溝６を形成する。
そして、該縦方向の調整溝６が最初の突出部５ａが形成された位置まで来ると、取付台８を矢印Ｂ方向に移動させて、図示左側の突出部５ａの一部に横方向の調子溝１０を形成する。
その後、取付台８を矢印Ａ方向に移動させて図示右側の突出部の一部に横方向の調整溝１０を形成する。
そして、発振器１の発振周波数が所望の値になるまで、前記のような作業により、縦方向の調整溝６を先端部５ｂ方向に延ばし、横方向の調整溝１０を複数の突出部５ａの一部にそれぞれ形成していく。
【００１７】
即ち、本発明の発振器１の発振周波数調整方法のその他の実施の形態は、導体基部４と調整導体５の一部を分割する縦方向の調整溝６を形成する工程と、突出部５ａ・・の一部を分割する横方向の調整溝１０を形成する工程とにより発振器１の発振周波数調整するものである。
また、縦方向の調整溝６、スリット部７、および横方向の調整溝１０は、誘電体基板２の一部を露出させたもので説明したが、前記縦方向の調整溝６、スリット部７、および横方向の調整溝１０が形成された部分の誘電体基板２を、前記カッター９で貫通させて形成したたものでもよい。
【００１８】
また、発振器１の調整導体部５の左右に突出部５ａ・・を形成したもので説明したが、突出部５ａ・・は図４に示すように、調整導体部５の図示左側の側部５ｃを直線状に形成し、図示右側にだけに突出部５ａ・・形成したものでもよい。即ち、調整導体部５の少なくとも一方側から直角方向に突出する複数の突出部５ａ・・を形成したものでもよい。
【００１９】
【発明の効果】
本発明の発振器は、導体部は、帯状の導体基部と、該導体基部から直角方向に延出する調整導体部と、該調整導体部の少なくとも一方側から直角方向に突出する複数の突出部とを形成したので、縦方向の調整溝の長さに対する発振周波数の変化を大きくすることができ、縦方向の調整溝の長さを従来より短くすることができ、小型の発振器を提供することができる。
また、発振器を小型にできることから、材料費等が安価になり、低コストの発振周波数調整回路を提供できる。
【００２０】
また、本発明の発振器は、複数の突出部を前記調整導体部の両側に形成したので、導体基部の接地部から発振回路に接続する接続部までの電気的長さを従来より長くすることができ、縦方向の調整溝の長さを従来より短くすることができる。。
【００２１】
また、本発明の発振器は、突出部の中に、該突出部の先端部近傍から前記調整導体部の略中央部に至るスリット部を設けたので、調整溝を形成するのは縦方向の調整溝だけでよく、本発明の発振器の発振周波数調整を効率よく行うことができ、低コストの発振器を提供することができる。
【００２２】
また、本発明の発振器の発振周波数調整方法は、請求項１、または２において、前記導体基部と前記調整導体部の一部を分割する縦方向の調整溝を形成する工程と、前記突出部の一部を分割する横方向の調整溝を形成する工程とにより周波数の調整を行うので、縦方向の調整溝と横方向の調整溝とを同じカッターで形成することができ、調整作業の効率を上げることができる。
【００２３】
また、本発明の発振器の発振周波数調整方法は、請求項３において、前記導体基部と前記調整導体部の一部を分割すると共に、前記スリット部に至る縦方向の調整溝を形成する工程により、発振周波数の調整を行うので、縦方向の調整溝の長さだけを調整すればよく、更に調整作業の効率を上げることができる。
【図面の簡単な説明】
【図１】本発明の発振器の概略図。
【図２】本発明の発振器の調整方法を説明する概略斜視図。
【図３】本発明の発振器の周波数の変化カーブ。
【図４】本発明の発振器のその他の実施の形態の概略図。
【図５】本発明の発振器の発振周波数調整方法のその他の実施の形態を説明する概略図。
【図６】従来の発振器の概略図。
【図７】従来の発振器の周波数の変化カーブ。
【符号の説明】
１  発振器
２  誘電体基板
３  導体部
４  導体基部
４ａ接地部
４ｂ接続部
５  調整導体部
５ａ突出部
５ｂ先端部
６  縦方向の調整溝
７  スリット部
８  取付台
９  カッター
９ａ刃先
１０  横方向の調整溝
【図１】
0003587663.tif 000002
【図２】
0003587663.tif 000003
【図３】
0003587663.tif 000004
【図４】
0003587663.tif 000005
【図５】
0003587663.tif 000006
【図６】
0003587663.tif 000007
【図７】
0003587663.tif 000008